(57)【特許請求の範囲】
【請求項１】
画像を表示する表示面を取り囲んだ筐体と、前記筐体の下端部に設けられた取付部と、を有した表示部と、
前記筐体の前記下端部に面した基部を有するスタンドと、
前記基部に設けられ、前記取付部に連結されることで前記基部に対する前記表示部の位置を固定する固定部と、
前記筐体の前記下端部および前記基部の少なくともいずれか一方から他方に向けて突出され、前記取付部を前記固定部に連結した時に、前記固定部よりも前方で前記下端部と前記基部との間に介在されて前記表示部を傾斜させる角度調整部と、
を具備したテレビ装置。
【請求項２】
画像を表示する表示面を取り囲んだ筐体と、前記筐体の下端部に設けられた挿入孔と、を有した表示部と、
前記筐体の前記下端部に面した基部を有するスタンドと、
前記基部に設けられ、前記表示部を固定する固定部と、
前記筐体の前記下端部および前記基部の少なくともいずれか一方から他方に向けて突出され、前記表示部を前記固定部に固定した時に、前記固定部よりも前方で前記下端部と前記基部との間に介在されて前記表示部を傾斜させる角度調整部と、
前記基部から突出し、前記挿入孔に挿入された係止部と、
を具備したテレビ装置。
【請求項３】
前記角度調整部は、前記筐体の前記下端部に沿う方向に延びた請求項１又は請求項２に記載のテレビ装置。
【請求項４】
前記表示部は、前記筐体の前記下端部から前記筐体の内部に向かって延びたリブを有し、
前記角度調整部は、前記リブに対応する位置において前記筐体の前記下端部に当接した請求項３に記載のテレビ装置。
【請求項５】
前記スタンドの前記基部に設けられた転倒防止部をさらに備え、当該転倒防止部が転倒防止部材によって前記基部が載置される据付面に連結された請求項１又は請求項２に記載のテレビ装置。
【請求項６】
画像を表示する表示部の下端部に面した基部と、
前記基部に設けられ、前記表示部の前記下端部に連結されることで前記基部に対する前記表示部の位置を固定する固定部と、
前記基部から突出し、前記表示部の前記下端部を前記固定部に連結した時に、前記固定部よりも前方で前記表示部の前記下端部に当接することで前記表示部を傾斜した状態に支持する角度調整部と、
を具備したスタンド。
【請求項７】
画像を表示する表示部の下端部に面する基部と、
前記基部に設けられ、前記表示部を固定可能に構成された固定部と、
前記基部から突出し、前記表示部の前記下端部に当接することで前記表示部を傾斜した状態に支持可能な角度調整部と、
前記基部から突出し、前記表示部の前記下端部に設けられた挿入孔に挿入される係止部と、
を具備したスタンド。
【請求項８】
前記角度調整部は、前記表示部の前記下端部に沿う方向に延びた請求項６又は請求項７に記載のスタンド。
【請求項９】
前記基部に設けられ、転倒防止部材によって前記基部が載置される据付面に連結される転倒防止部をさらに具備した請求項６又は請求項７に記載のスタンド。
【請求項１０】
画像を表示する表示面を取り囲んだ筐体と、前記筐体の下端部に設けられた取付部と、を有した表示部と、
前記筐体の前記下端部に面した基部を有するスタンドと、
前記基部に設けられ、前記取付部に連結されることで前記基部に対する前記表示部の位置を固定する固定部と、
前記筐体の前記下端部および前記基部の少なくともいずれか一方から他方に向けて突出され、前記取付部を前記固定部に連結した時に、前記固定部よりも前方で前記下端部と前記基部との間に介在されて前記表示部を傾斜させる角度調整部と、
を具備した電子機器。
【請求項１１】
画像を表示する表示面を取り囲んだ筐体と、前記筐体の下端部に設けられた挿入孔と、を有した表示部と、
前記筐体の前記下端部に面した基部を有するスタンドと、
前記基部に設けられ、前記表示部を固定する固定部と、
前記筐体の前記下端部および前記基部の少なくともいずれか一方から他方に向けて突出され、前記表示部を前記固定部に固定した時に、前記固定部よりも前方で前記下端部と前記基部との間に介在されて前記表示部を傾斜させる角度調整部と、
前記基部から突出し、前記挿入孔に挿入された係止部と、
を具備した電子機器。
【請求項１２】
前記角度調整部は、前記筐体の前記下端部に沿う方向に延びた請求項１０又は請求項１１に記載の電子機器。
【請求項１３】
前記表示部は、前記筐体の前記下端部から前記筐体の内部に向かって延びたリブを有し、
前記角度調整部は、前記リブに対応する位置において前記筐体の前記下端部に当接した請求項１２に記載の電子機器。
【請求項１４】
前記スタンドの前記基部に設けられた転倒防止部をさらに備え、当該転倒防止部が転倒防止部材によって前記基部が載置される据付面に連結された請求項１０又は請求項１１に記載の電子機器。
【発明の詳細な説明】
【技術分野】
【０００１】
本発明の実施形態は、テレビ装置、スタンド、および電子機器に関する。
【背景技術】
【０００２】
液晶テレビのようないわゆる薄型テレビは、一般的に、画像を表示する表示部を支持するためのスタンドを備える。このようなスタンドは、例えばテレビ台の据付面に置かれる基部や、基部から上方に突出して表示部に固定される支柱を有する。このようなスタンドにおいて、基部にカバーが取り付けられたり、支柱が回転可能に構成されたり、表示部を傾斜可能にするヒンジが設けられたりすることがある。
【先行技術文献】
【特許文献】
【０００３】
【特許文献１】特開２００８−６７０３３号公報
【発明の概要】
【発明が解決しようとする課題】
【０００４】
スタンドは、表示部を支持するだけでなく、多様な機能を有することがある。この場合、スタンドの構成が複雑になることがある。  
本発明の目的は、簡単な構成のテレビ装置、スタンド、および電子機器を提供することにある。
【課題を解決するための手段】
【０００５】
一つの実施形態に係るテレビ装置は、画像を表示する表示面を取り囲んだ筐体と、前記筐体の下端部に設けられた取付部と、を有した表示部と、前記筐体の前記下端部に面した基部を有するスタンドと、前記基部に設けられ、前記取付部に連結されることで前記基部に対する前記表示部の位置を固定する固定部と、前記筐体の前記下端部および前記基部の少なくともいずれか一方から他方に向けて突出され、前記取付部を前記固定部に連結した時に、前記固定部よりも前方で前記下端部と前記基部との間に介在されて前記表示部を傾斜させる角度調整部と、を備えている。
【図面の簡単な説明】
【０００６】
【図１】第１の実施の形態に係るテレビ装置を示す斜視図。
【図２】第１の実施形態の表示部からスタンドを分離して示すテレビ装置の背面図。
【図３】第１の実施形態の表示部を下方から示す平面図。
【図４】第１の実施形態のテレビ装置の一部を概略的に示す断面図。
【図５】第１の実施形態のリアカバーの一部を筐体の内部から示す斜視図。
【図６】第１の実施形態のスタンドを示す斜視図。
【図７】第１の実施形態の据付面に連結されたスタンドを示す背面図。
【図８】第１の実施形態のスタンドを表示部に取り付ける方法を概略的に示す断面図。
【図９】第２の実施の形態に係るスタンドを示す斜視図。
【図１０】第３の実施の形態に係るスタンドを示す斜視図。
【図１１】第４の実施の形態に係るテレビ装置の一部を示す断面図。
【発明を実施するための形態】
【０００７】
以下に、第１の実施の形態について、図１から図８を参照して説明する。なお、本明細書において、ユーザ側を前方、ユーザから遠い側を後方、ユーザから見て左側を左方、ユーザから見て右側を右方、ユーザから見て上側を上方、ユーザから見て下側を下方と定義する。
【０００８】
図１は、第１の実施形態のテレビ装置１を示す斜視図である。テレビ装置１は、テレビ装置および電子機器の一例であり、例えば液晶テレビである。なお、テレビ装置１は液晶テレビに限らず、プラズマテレビのような他の種類のテレビでも良いし、パーソナルコンピュータの有機ＥＬディスプレイのような他の電子機器でも良い。
【０００９】
図１に示すように、テレビ装置１は、表示部３と、スタンド４とを備えている。スタンド４は、表示部３に取り外し可能に取り付けられている。スタンド４は、例えばテレビ台の据付面Ｇに載置され、表示部３を支持する。
【００１０】
表示部３は、筐体１０と、液晶ディスプレイ１１とを有している。  
筐体１０は、例えば樹脂によって形成されている。筐体１０は、フロントカバー１５と、リアカバー１６とを有している。フロントカバー１５は、ユーザに向く筐体１０の正面部１０ａを含んでいる。フロントカバー１５はフレーム状に形成されており、正面部１０ａに開口部１８が設けられる。フロントカバー１５は、例えばネジ止めによってリアカバー１６に固定される。
【００１１】
図２は、表示部３からスタンド４を分離して示すテレビ装置１の背面図である。図３は、表示部３を下方から示す平面図である。図４は、テレビ装置１の一部を概略的に示す断面図である。
【００１２】
図４に示すように、リアカバー１６は、筐体１０の背面部１０ｂと、筐体１０の下端部１０ｃとを含んでいる。図２に示すように、筐体１０の背面部１０ｂに、複数の端子が設けられる端子配置部２１と、取付部２２とが設けられている。
【００１３】
端子配置部２１は、背面部１０ｂの平坦な面から窪んで設けられた凹部である。端子配置部２１に、チューナの端子、ビデオ入力の端子、および音声入出力の端子のような複数の端子が設けられている。
【００１４】
取付部２２は、筐体１０の下端部１０ｃに隣接して設けられている。取付部２２は、背面部１０ｂから窪んで平坦に形成されている。取付部２２に、二つの固定孔２４が開口している。図４に示すように、筐体１０の内側に、取付部２２に接する金属製の補強板２５が設けられている。一対の固定孔２４は、取付部２２から補強板２５に亘ってそれぞれ設けられている。
【００１５】
図５は、リアカバー１６の一部を筐体１０の内側から示す斜視図である。図５に示すように、筐体１０の内部に、複数の第１のリブ２７と、複数の第２のリブ２８とが設けられている。
【００１６】
第１および第２のリブ２７，２８は、それぞれ筐体１０の下端部１０ｃから筐体１０の内部に向かって延びている。第１のリブ２７は、筐体１０の下端部１０ｃから背面部１０ｂに亘って設けられている。第２のリブ２８は、筐体１０の下端部１０ｃから取付部２２に亘って設けられている。
【００１７】
第１のリブ２７の端部に、フロントカバー１５に設けられる突出部に嵌合する溝がそれぞれ設けられている。第１のリブ２７は、第２のリブ２８よりも大きく突出している。このため、下端部１０ｃの第１のリブ２７が設けられた部分は、第２のリブ２８が設けられた部分よりも強度が高い。
【００１８】
図４に示すように、筐体１０の下端部１０ｃは、平坦な板壁状に形成されている。図３に示すように、筐体１０の下端部１０ｃに、一対の挿入孔３１が設けられている。一対の挿入孔３１は、筐体１０の正面部１０ａから背面部１０ｂに向かう方向に延びる矩形状に形成されている。
【００１９】
図４に示すように、液晶ディスプレイ１１は、筐体１０に収容されている。液晶ディスプレイ１１は、筐体１０の開口部１８から露出された表示面１１ａを有している。表示面１１ａは、フレーム状のフロントカバー１５に取り囲まれている。
【００２０】
液晶ディスプレイ１１は、筐体１０に収容された制御基板に制御され、表示面１１ａに画像を表示する。なお、本実施形態において、当該画像は動画、静止画、および単色画面を含む。
【００２１】
図６は、スタンド４を示す斜視図である。図６に示すように、スタンド４は、基部３４と、一対の固定部３５と、角度調整部３６と、一対の係止部３７と、転倒防止部３８とを有している。
【００２２】
スタンド４は、一枚の金属板を例えば折曲加工することで形成される。すなわち、基部３４と、一対の固定部３５と、角度調整部３６と、一対の係止部３７と、転倒防止部３８とは、一体に形成されている。
【００２３】
図４に示すように、基部３４は平坦に形成され、上面３４ａと、下面３４ｂとを有している。上面３４ａは、筐体１０の下端部１０ｃに面している。下面３４ｂは、複数のゴム足４１が取り付けられており、据付面Ｇに面する。基部３４は、ゴム足４１を介して据付面Ｇの上に置かれる。なお、基部３４はゴム足４１を介さず、据付面Ｇの上に直接置かれても良い。また、基部３４の周縁部が折り曲げられ、基部３４の剛性が向上させられても良い。
【００２４】
図６に示すように、一対の固定部３５は、基部３４の上面３４ａから起立してそれぞれ設けられている。一対の固定部３５は、基部３４から、表示部３の幅方向と直交する方向に折り曲げられてそれぞれ形成される。図２に示すように、一対の固定部３５は、取付部２２に対応して設けられている。
【００２５】
一対の固定部３５は、取付部２２に面する受け部４３を有している。受け部４３は、取付部２２に沿うように折り曲げられて形成される。図４に示すように、受け部４３は、後方に向かって僅かに傾斜している。受け部４３に、取付部２２が当接している。
【００２６】
受け部４３に、取付部２２の固定孔２４に対応する挿通孔４４がそれぞれ設けられている。ネジのような固定部材４５が、挿通孔４４を通って取付部２２の固定孔２４にねじ込まれている。これにより、固定部３５に表示部３が固定されている。
【００２７】
リブ状の補強部４６が、固定部３５とそれぞれ一体に設けられている。補強部４６は、固定部３５から、筐体１０の正面部１０ａに向かう方向に延びている。筐体１０の下端部１０ｃは、補強部４６に当接している。なお、筐体１０の下端部１０ｃは、補強部４６に当接せず基部３４の上面３４ａに当接しても良い。
【００２８】
図６に示すように、角度調整部３６は、基部３４の上面３４ａに設けられている。図４に示すように、角度調整部３６は、筐体１０の下端部１０ｃの前方側に対応して設けられている。言い換えると、角度調整部３６は、筐体１０の背面部１０ｂよりも正面部１０ａに近い位置に配置されている。
【００２９】
角度調整部３６は、例えばプレス加工によって基部３４と一体に形成される。角度調整部３６は、延設部５１と、一対の当接部５２とを有している。
【００３０】
延設部５１は、基部３４の上面３４ａから、表示部３の側である上方に突出している。延設部５１は、断面円弧状に形成される。図５に破線で示すように、延設部５１は、筐体１０の下端部１０ｃに沿う方向である左右方向に延びている。
【００３１】
図６に示すように、一対の当接部５２は、延設部５１の両端部分にそれぞれ設けられている。当接部５２は、延設部５１から表示部３の側である上方に突出している。当接部５２は、断面円弧状に形成される。図４に示すように、当接部５２の頂部は、固定部３５と一体に形成された補強部４６よりも高い位置に設けられている。
【００３２】
当接部５２は、筐体１０の背面部１０ｂよりも正面部１０ａに近い位置で、下端部１０ｃに当接している。筐体１０の下端部１０ｃは、角度調整部３６の当接部５２と、固定部３５の補強部４６とに当接している。このため、表示部３は、基部３４に対して角度θだけ後方に傾斜する。言い換えると、角度調整部３６は、筐体１０の下端部１０ｃと基部３４との間に介在し、表示部３を角度θだけ傾斜した状態に支持している。
【００３３】
図５に示すように、当接部５２は、筐体１０の内部に第１のリブ２７が設けられた位置に対応して配置されている。このため、当接部５２は、第１のリブ２７に対応する位置において筐体１０の下端部１０ｃに当接している。
【００３４】
図６に示すように、一対の係止部３７は、基部３４の上面３４ａから、表示部３の側である上方に突出している。一対の係止部３７は、固定部３５よりも筐体１０の正面部１０ａに近い方向である前方に配置されている。一対の係止部３７は、筐体１０の下端部１０ｃに設けられた一対の挿入孔３１に対応して設けられている。図４に示すように、係止部３７は、挿入孔３１に挿入されている。
【００３５】
係止部３７は、起立部５５と、爪部５６とを有している。起立部５５は、基部３４から突出している。起立部５５は、固定部３５の反対側である前方に向かう前縁５５ａを有している。前縁５５ａは、挿入孔３１の内縁に当接している。
【００３６】
爪部５６は、起立部５５の先端部において、前縁５５ａから突出している。爪部５６は、筐体１０の内部に位置している。爪部５６は、筐体１０の内部から筐体１０の下端部１０ｃに引掛けられている。
【００３７】
図６に示すように、転倒防止部３８は、基部３４の後端に設けられている。転倒防止部３８は、基部３４の上面３４ａから凹むように折り曲げられている。転倒防止部３８は、基部３４よりも据付面Ｇに近い。転倒防止部３８に、取付孔５８が設けられている。
【００３８】
図７は、据付面Ｇに連結されたスタンド４を一部切り欠いて示す背面図である。図７に示すように、転倒防止部３８に、転倒防止部材５９が取り付けられている。転倒防止部材５９は、例えば木ネジである。転倒防止部材５９は、転倒防止部３８の取付孔５８に挿入され、据付面Ｇにねじ込まれる。これにより、転倒防止部３８が据付面Ｇに連結される。なお、転倒防止部材５９は木ネジに限らず、ベルトや、ワイヤを通すクリップであっても良い。
【００３９】
図８は、スタンド４を表示部３に取り付ける方法を概略的に示す断面図である。スタンド４は、例えば以下のように表示部３に取り付けられる。図８に示すように、まず、筐体１０の正面部１０ａが、例えば机の作業面Ｗに接するように、表示部３を作業面Ｗに載置する。言い換えると、筐体１０の正面部１０ａが下方に向くように、表示部３を作業面Ｗに載置する。
【００４０】
次に、図８の矢印Ａで示すように、スタンド４の係止部３７を、筐体１０の下端部１０ｃに設けられた挿入孔３１に挿入する。係止部３７が挿入孔３１に挿入されると、固定部３５に設けられた補強部４６と、角度調整部３６の当接部５２とが、筐体１０の下端部１０ｃに当接する。
【００４１】
次に、図８の矢印Ｂで示すように、スタンド４を筐体１０の背面部１０ｂから正面部１０ａに向かう方向である下方にスライドさせる。これにより、係止部３７の起立部５５の前縁５５ａが、挿入孔３１の内縁に当接する。また、爪部５６が筐体１０の内部から筐体１０の下端部１０ｃに引っ掛かる。さらに、固定部３５の受け部４３が、筐体１０の取付部２２に当接する。
【００４２】
係止部３７は、挿入孔３１の内縁によって支持される。さらに、固定部３５の受け部４３は、筐体１０の取付部２２によって支持される。この状態で、固定部３５に設けられた挿通孔４４は、取付部２２の固定孔２４に対応する位置に配置される。これにより、スタンド４は仮留めなどがなくとも、固定される位置に保持される。もしスタンド４が表示部３から離れる方向に押されたとしても、爪部５６が筐体１０の下端部１０ｃに引っ掛かっているため、スタンド４が表示部３から脱落することが防がれる。
【００４３】
次に、固定部材４５を、固定部３５の挿通孔４４を通して、取付部２２に開口する固定孔２４にねじ込む。固定部材４５によって、固定部３５が取付部２２に連結される。以上の工程により、スタンド４が表示部３に取り付けられる。
【００４４】
なお、例えばスタンド４を作業面Ｗに載置し、上方から表示部３をスタンド４に取り付けても良い。この場合、筐体１０の挿入孔３１に、スタンド４の係止部３７が挿入されると、角度調整部３６と補強部４６とが、筐体１０の下端部１０ｃに当接して表示部３を支持する。
【００４５】
表示部３は角度調整部３６によって角度θだけ傾斜させられる。しかし、係止部３７の爪部５６が筐体１０の内部から下端部１０ｃに引っ掛かっているため、仮止めなどがなくとも表示部３が転倒することが防がれる。
【００４６】
前記構成のテレビ装置１によれば、スタンド４の角度調整部３６が、筐体１０の下端部１０ｃと基部３４との間に介在されて、表示部３を角度θだけ傾斜させている。これにより、ヒンジのような機構を用いずとも、ユーザが表示面１１ａを見易いよう、表示部３をスタンド４に対して傾斜させることができる。これにより、テレビ装置１の構成が簡単になり、テレビ装置１の製造性が向上し、テレビ装置１の製造コストを低減できる。
【００４７】
角度調整部３６は、金属製のスタンド４の基部３４から突出している。これにより、表示部３の筐体１０の下端部１０ｃを平坦に形成することができる。さらに、表示部３の重さによって角度調整部３６が変形することを抑制できる。
【００４８】
例えば一枚の板金を折曲加工することにより、スタンド４の基部３４と、固定部３５と、角度調整部３６と、係止部３７と、転倒防止部３８とが、一体に形成されている。これにより、スタンド４の製造コストを低減できる。
【００４９】
例えばプレス加工によって基部３４から突出した角度調整部３６と、折曲加工によってリブ状に形成された補強部４６とが、筐体１０の下端部１０ｃに当接して、表示部３を支持している。これにより、表示部３の重みによって、平坦な基部３４が変形することが抑制される。
【００５０】
角度調整部３６の当接部５２は、第１のリブ２７に対応する位置において筐体１０の下端部１０ｃに当接している。筐体１０の下端部１０ｃにおいて、第１のリブ２７が設けられた部分は、第２のリブ２８が設けられた部分よりも強度が高く、リブが無い部分よりも強度が高い。これにより、筐体１０の下端部１０ｃにおいて、当接部５２が当接した部分が変形することが抑制される。なお、当接部５２は、第２のリブ２８に対応する位置において筐体１０の下端部１０ｃに当接しても良い。
【００５１】
スタンド４に係止部３７が設けられ、この係止部３７が筐体１０の下端部１０ｃに設けられた挿入孔３１に挿入されている。これにより、表示部３にスタンド４を取り付ける際に、スタンド４が表示部３から脱落したり、表示部３が転倒したりすることが抑制される。また、金属製のスタンド４に係止部３７を設けることで、係止部３７が、表示部３が傾斜することによって生じるモーメントによって破損することを抑制できる。さらに、係止部３７が挿入される挿入孔３１が筐体１０の下端部１０ｃに設けられることにより、取付部２２のような取り付けのための部分を小さく形成できる。
【００５２】
角度調整部３６の延設部５１は、筐体１０の下端部１０ｃに沿う方向である左右方向に延びている。角度調整部３６により、筐体１０の下端部１０ｃと基部３４との間には隙間が形成される。この隙間は、延設部５１によって塞がれる。言い換えると、延設部５１は、ユーザが当該隙間を通して例えば固定部３５を見ることを防ぐ。これにより、テレビ装置１の美観が向上する。
【００５３】
スタンド４の基部３４に、転倒防止部３８が設けられている。転倒防止部材５９によって、転倒防止部３８が据付面Ｇに連結される。これにより、例えば地震の揺れによってテレビ装置１が転倒することを防止できる。
【００５４】
転倒防止部３８は、基部３４よりも据付面Ｇに近く位置する。これにより、転倒防止部材５９によって転倒防止部３８が据付面Ｇに連結されたときに、転倒防止部材５９の締結力によって転倒防止部３８が変形したり、基部３４の前部分が持ち上がったりすることが抑制される。
【００５５】
次に、図９を参照して、第２の実施の形態について説明する。なお、以下に開示する複数の実施形態において、第１の実施形態のテレビ装置１と同一の機能を有する構成部分には同一の参照符号を付す。さらに、当該構成部分については、その説明を一部または全て省略することがある。
【００５６】
図９は、第２の実施形態のスタンド４を示す斜視図である。図９に示すように、第２の実施形態の角度調整部３６は、筐体１０の下端部１０ｃに沿う方向である左右方向に延びている。角度調整部３６は、断面円弧状に形成されている。角度調整部３６の頂部は、固定部３５と一体に形成された補強部４６よりも高い位置に設けられている。
【００５７】
角度調整部３６は、筐体１０の平坦な下端部１０ｃに線接触している。第２の実施形態の角度調整部３６と筐体１０の下端部１０ｃとの接触面積は、第１の実施形態の当接部５２と筐体１０の下端部１０ｃとの接触面積よりも大きい。このため、筐体１０の下端部１０ｃに応力集中が生じることを抑制できる。
【００５８】
角度調整部３６は、筐体１０の下端部１０ｃに沿う方向である左右方向に延びている。角度調整部３６が延びる領域において、筐体１０の下端部１０ｃと基部３４との間の隙間は、角度調整部３６によって塞がれる。これにより、テレビ装置１の美観が向上する。
【００５９】
次に、図１０を参照して、第３の実施の形態について説明する。図１０は、第３の実施形態のスタンド４を示す斜視図である。図１０に示すように、第３の実施形態のスタンド４は、一対の角度調整部３６を有している。角度調整部３６は、それぞれ断面円弧状に形成されている。角度調整部３６の頂部は、固定部３５と一体に形成された補強部４６よりも高い位置に設けられている。
【００６０】
角度調整部３６は、第１のリブ２７に対応する位置において、筐体１０の平坦な下端部１０ｃにそれぞれ当接している。これにより、筐体１０の下端部１０ｃにおいて、角度調整部３６が当接した部分が変形することが抑制される。
【００６１】
次に、図１１を参照して、第４の実施の形態について説明する。図１１は、第４の実施形態のテレビ装置１の一部を示す断面図である。図１１に示すように、第４の実施形態のテレビ装置１において、スタンド４が角度調整部を有する代わりに、表示部３が一対の角度調整部６１を有している。
【００６２】
一対の角度調整部６１は、第１のリブ２７に対応する位置において、筐体１０の下端部１０ｃに設けられている。角度調整部６１は、筐体１０の下端部１０ｃから、スタンド４の基部３４側である下方に突出している。角度調整部６１は、筐体１０と一体に、断面円弧状に形成されている。角度調整部６１は、筐体１０の背面部１０ｂよりも正面部１０ａに近い位置に配置されている。
【００６３】
角度調整部６１は、基部３４の上面３４ａに当接している。筐体１０の下端部１０ｃは、固定部３５の補強部４６に当接している。筐体１０の下端部１０ｃから角度調整部６１の頂部までの高さは、基部３４の上面から補強部４６の頂部までの高さよりも高い。このため、表示部３は、基部３４に対して角度θだけ後方に傾斜する。言い換えると、角度調整部３６は、筐体１０の下端部１０ｃと基部３４との間に介在し、表示部３を角度θだけ傾斜した状態に支持している。
【００６４】
前記構成のテレビ装置１によれば、表示部３の角度調整部６１が、筐体１０の下端部１０ｃと基部３４との間に介在されることで、表示部３を角度θだけ傾斜させられる。これにより、テレビ装置１の構成が簡単になり、テレビ装置１の製造性が向上し、テレビ装置１の製造コストを低減できる。すなわち、角度調整部は、スタンド４の基部３４に限らず、表示部３の筐体１０の下端部１０ｃに設けられても良い。さらに、角度調整部は、スタンド４の基部３４と、表示部３の筐体１０の下端部１０ｃとにそれぞれ設けられていても良い。
【００６５】
以上述べた少なくとも一つの実施形態のテレビ装置によれば、角度調整部が筐体の下端部と基部との間に介在することで、表示部が傾斜する。これにより、テレビ装置の構成を簡単にすることができる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６７】
例えば、上述した複数の実施形態において、スタンド４の固定部３５は、表示部３の取付部２２に固定されていたが、固定部はこれに限らない。固定部は、筐体１０の下端部１０ｃのような他の個所に固定されても良い。
【００６８】
以下に、もとの出願の出願当初の特許請求の範囲の内容を付記する。  
［１］画像を表示する表示面と、前記表示面を取り囲む筐体とを有した表示部と、  
前記筐体の下端部に面して据付面の上に置かれる基部と、  
前記基部に設けられ、前記表示部を固定する固定部と、  
前記筐体の下端部および前記基部の少なくともいずれか一方に設けられ、前記下端部と前記基部との間に介在されて前記表示部を傾斜させる角度調整部と、  
を具備したテレビ装置。  
［２］前記角度調整部は、前記基部から前記表示部側に突出し、前記筐体の下端部に当接することで前記表示部を傾斜した状態に支持した［１］に記載のテレビ装置。  
［３］前記基部と、前記固定部と、前記角度調整部とが、一体に形成された［２］に記載のテレビ装置。  
［４］前記表示部は、前記筐体の下端部から前記筐体の内部に向かって延びたリブを有し、  
前記角度調整部は、前記リブに対応する位置において前記筐体の下端部に当接した［３］に記載のテレビ装置。  
［５］前記基部から一体に突出された係止部をさらに具備し、  
前記筐体の下端部に、前記係止部が挿入された挿入孔が設けられた［４］に記載のテレビ装置。  
［６］前記角度調整部は、前記筐体の下端部に沿う方向に延びた［４］に記載のテレビ装置。  
［７］前記基部に設けられ、転倒防止部材によって前記据付面に連結される転倒防止部をさらに具備した［４］に記載のテレビ装置。  
［８］前記角度調整部は、前記筐体の下端部から前記基部側に突出し、前記基部に当接することで前記表示部を傾斜した状態に支持した［１］に記載のテレビ装置。  
［９］画像を表示する表示部の下端部に面する基部と、  
前記基部に設けられ、前記表示部を固定可能に構成された固定部と、  
前記基部から突出し、前記表示部の下端部に当接することで前記表示部を傾斜した状態に支持可能な角度調整部と、  
を具備したスタンド。  
［１０］画像を表示する表示面と、前記表示面とを取り囲む筐体とを有した表示部と、  
前記筐体の下端部に面して据付面の上に置かれる基部と、  
前記基部に設けられ、前記表示部を固定する固定部と、  
前記筐体の下端部および前記基部の少なくともいずれか一方に設けられ、前記下端部と前記基部との間に介在されて前記表示部を傾斜させる角度調整部と、  
を具備した電子機器。  
［１１］前記基部と、前記固定部と、前記係止部とが、一体に形成された［１０］に記載の電子機器。  
以下に、もとの出願の分割直前の特許請求の範囲の内容を付記する。  
［１］画像を表示する表示面と、前記表示面を取り囲む筐体と、前記筐体の下端部近傍に設けられた取付部と、を有した表示部と、  
前記筐体の下端部に面した基部と、  
前記基部に設けられ、前記取付部に固定されることで前記基部に対する前記表示部の位置を固定する固定部と、  
前記筐体の下端部および前記基部の少なくともいずれか一方に設けられ、前記下端部と前記基部との間に介在されて前記表示部を傾斜させる角度調整部と、  
を具備したテレビ装置。  
［２］画像を表示する表示面と、前記表示面を取り囲む筐体と、前記筐体の下端部に設けられた挿入孔と、を有した表示部と、  
前記筐体の下端部に面した基部と、  
前記基部に設けられ、前記表示部を固定する固定部と、  
前記筐体の下端部および前記基部の少なくともいずれか一方に設けられ、前記下端部と前記基部との間に介在されて前記表示部を傾斜させる角度調整部と、  
前記基部から突出し、前記挿入孔に挿入された係止部と、  
を具備したテレビ装置。  
［３］画像を表示する表示面と、前記表示面を取り囲む筐体とを有した表示部と、  
前記筐体の下端部に面して据付面の上に置かれる基部と、  
前記基部に設けられ、前記表示部を固定する固定部と、  
前記筐体の下端部および前記基部の少なくともいずれか一方に設けられ、前記下端部と前記基部との間に介在されて前記表示部を傾斜させる角度調整部と、  
前記基部に設けられ、転倒防止部材によって前記据付面に連結される転倒防止部と、  
を具備したテレビ装置。  
［４］前記角度調整部は、前記筐体の下端部に沿う方向に延びた［１］または［２］に記載のテレビ装置。  
［５］前記基部と、前記固定部と、前記角度調整部とが、一体に形成された［１］ないし［４］のいずれか一つに記載のテレビ装置。  
［６］前記表示部は、前記筐体の下端部から前記筐体の内部に向かって延びたリブを有し、  
前記角度調整部は、前記リブに対応する位置において前記筐体の下端部に当接した［４］に記載のテレビ装置。  
［７］前記基部に設けられ、転倒防止部材によって前記基部が載置される据付面に連結される転倒防止部をさらに具備した［１］または［２］に記載のテレビ装置。  
［８］画像を表示する表示部の下端部に面する基部と、  
前記基部に設けられ、前記表示部の下端部の近傍に固定されることで前記基部に対する前記表示部の位置を固定可能に構成された固定部と、  
前記基部から突出し、前記表示部の下端部に当接することで前記表示部を傾斜した状態に支持可能な角度調整部と、  
を具備したスタンド。  
［９］画像を表示する表示部の下端部に面する基部と、  
前記基部に設けられ、前記表示部を固定可能に構成された固定部と、  
前記基部から突出し、前記表示部の下端部に当接することで前記表示部を傾斜した状態に支持可能な角度調整部と、  
前記基部から突出し、前記表示部の下端部に設けられる挿入孔に挿入される係止部と、  
を具備したスタンド。  
［１０］画像を表示する表示面と、前記表示面とを取り囲む筐体と、前記筐体の下端部近傍に設けられた取付部と、を有した表示部と、  
前記筐体の下端部に面した基部と、  
前記基部に設けられ、前記取付部に固定されることで前記基部に対する前記表示部の位置を固定する固定部と、  
前記筐体の下端部および前記基部の少なくともいずれか一方に設けられ、前記下端部と前記基部との間に介在されて前記表示部を傾斜させる角度調整部と、  
を具備した電子機器。  
［１１］画像を表示する表示面と、前記表示面とを取り囲む筐体と、前記筐体の下端部に設けられた挿入孔と、を有した表示部と、  
前記筐体の下端部に面した基部と、  
前記基部に設けられ、前記表示部を固定する固定部と、  
前記筐体の下端部および前記基部の少なくともいずれか一方に設けられ、前記下端部と前記基部との間に介在されて前記表示部を傾斜させる角度調整部と、  
前記基部から突出し、前記挿入孔に挿入された係止部と、  
を具備した電子機器。
【符号の説明】
【００６９】
１…テレビ装置、３…表示部、４…スタンド、１０…筐体、１０ｃ…下端部、１１ａ…表示面、２７…第１のリブ、３１…挿入孔、３４…基部、３５…固定部、３６，６１…角度調整部、３７…係止部、３８…転倒防止部、５９…転倒防止部材、Ｇ…据付面。
【図１】
0005502974.tif 000002
【図２】
0005502974.tif 000003
【図３】
0005502974.tif 000004
【図４】
0005502974.tif 000005
【図５】
0005502974.tif 000006
【図６】
0005502974.tif 000007
【図７】
0005502974.tif 000008
【図８】
0005502974.tif 000009
【図９】
0005502974.tif 000010
【図１０】
0005502974.tif 000011
【図１１】
0005502974.tif 000012